(57)【要約】【課題】  本発明は構造が簡単で、容易に低コストで製造することができ、かつ従来と同様に使用することができる、緩みを確実に阻止することができる締付固定具を得るにある。【解決手段】  ボルトをスプリングワッシャを用いて締付固定する締付固定具において、前記スプリングワッシャの一側面と接するボルトの頭部、ボルト挿入孔が形成された取付部材あるいはナット部材にスプリングワッシャの切り欠き端部を係止する一方の係止凹部を形成するとともに、前記スプリングワッシャの他側面と接するナット、ボルト挿入孔が形成された取付部材あるいはねじ孔が形成された取付部材にスプリングワッシャの切り欠き端部を係止する他方の係止凹部を形成して締付固定具を構成している。【選択図】  図２
2012102783.tif 000002
【特許請求の範囲】
【請求項１】
ボルトをスプリングワッシャを用いて締付固定する締付固定具において、前記スプリングワッシャの一側面と接するボルトの頭部、ボルト挿入孔が形成された取付部材あるいはナット部材にスプリングワッシャの切り欠き端部を係止する一方の係止凹部を形成するとともに、前記スプリングワッシャの他側面と接するナット、ボルト挿入孔が形成された取付部材あるいはねじ孔が形成された取付部材にスプリングワッシャの切り欠き端部を係止する他方の係止凹部を形成したことを特徴とする締付固定具。
【請求項２】
一方の係止凹部と他方の係止凹部は所定間隔で複数個形成され、かつ緩み方向に回動することができないラチェット状の凹部形状に形成されていることを特徴とする請求項1記載の締付固定具。
【発明の詳細な説明】
【技術分野】
【０００１】
本発明は緩みを確実に阻止することができるボルトを用いた締付固定具に関する。
【背景技術】
【０００２】
従来、この種の緩みを確実に阻止する方法として、ボルトと、このボルトを挿通するワッシャと、ボルトにねじ込まれるナットとを備える。ボルトはキー溝を有する。ワッシャはボルトのキー溝に案内される凸部を内周に突出して設けており、この凸部をキー溝に入れて回転しないようにボルトに挿通される。ワッシャがナットと対向する面は、ナットを締め込む方向には回転できるが、逆方向には回転できない鋸歯状の凹凸面で、ナットがワッシャと対向する面は、鋸歯状の凹凸面と同じピッチの凹凸面に形成したものが考えられている。
【０００３】
このような構造にしたものは緩みを確実に阻止することができるが、ボルトにキー溝を形成し、ワッシャにボルトのキー溝によって案内される凸部を設け、かつワッシャとナットの対向面に逆方向に回転しない鋸歯状の凹凸面を形成しているため、構造が複雑で、コスト高となり、使用できる個所が限られるという欠点があった。
【先行技術文献】
【特許文献】
【０００４】
【特許文献１】特開２００３−１２０６４３号公報
【発明の概要】
【発明が解決しようとする課題】
【０００５】
本発明は以上のような従来の欠点に鑑み、構造が簡単で、容易に低コストで製造することができ、かつ従来と同様に使用することができる、緩みを確実に阻止することができる締付固定具を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明はボルトをスプリングワッシャを用いて締付固定する締付固定具において、前記スプリングワッシャの一側面と接するボルトの頭部、ボルト挿入孔が形成された取付部材あるいはナット部材にスプリングワッシャの切り欠き端部を係止する一方の係止凹部を形成するとともに、前記スプリングワッシャの他側面と接するナット、ボルト挿入孔が形成された取付部材あるいはねじ孔が形成された取付部材にスプリングワッシャの切り欠き端部を係止する他方の係止凹部を形成して締付固定具を構成している。
【発明の効果】
【０００８】
以上の説明から明らかなように、本発明にあっては次に列挙する効果が得られる。
（１）請求項1により、スプリングワッシャの切り欠き端部と係止する一方の係止凹部と他方の係止凹部とで係止させるので、該部の係止によって、係止を解除するような大きな力や、スプリングワッシャを損傷させるような大きな力が加わらない限り、緩みを確実に防止することができる。
（２）前記（１）により、一方の係止凹部をスプリングワッシャの一側面と接するボルトの頭部、ボルト挿入孔が形成された取付部材あるいはナット部材に形成するとともに、スプリングワッシャの他側面と接するナット、ボルト挿入孔が形成された取付部材あるいはねじ孔が形成された取付部材に形成すればよいので、製造が容易で、安価に製造することができる。
（３）前記（２）により、従来と同様にボルトにスプリングワッシャを通して、ナットで締付けるだけでよいので、従来と同様に使用することができる。
（４）請求項２も前記（１）〜（３）と同様な効果が得られるとともに、一方の係止凹部と他方の係止凹部とを所定間隔で複数個形成することにより、スプリングワッシャの切り欠き端部との係止をわずかな回転で係止させることができる。
【図面の簡単な説明】
【０００９】
【図１】本発明を実施するための第１の形態の使用状態の一部破断面図。
【図２】本発明を実施するための第１の形態の分解斜視図。
【図３】本発明を実施するための第１の形態のナットの平面図。
【図４】本発明を実施するための第１の形態のナットの正面図。
【図５】本発明を実施するための第２の形態の使用状態の一部破断面図。
【図６】本発明を実施するための第２の形態の分解斜視図。
【図７】本発明を実施するための第２の形態の取付部材の説明図。
【図８】本発明を実施するための第３の形態の使用状態の一部破断面図。
【図９】本発明を実施するための第３の形態の分解斜視図。
【図１０】本発明を実施するための第３の形態の取付部材の説明図。
【図１１】本発明を実施するための第３の形態のボルトの説明図。
【図１２】本発明を実施するための第４の形態の使用状態の一部破断面図。
【図１３】本発明を実施するための第４の形態の分解斜視図。
【図１４】本発明を実施するための第４の形態の取付部材の説明図。
【図１５】本発明を実施するための第４の形態のボルトの説明図。
【図１６】本発明を実施するための第５の形態の使用状態の一部破断面図。
【図１７】本発明を実施するための第５の形態の分解斜視図。
【図１８】本発明を実施するための第５の形態のナットの説明図。
【図１９】本発明を実施するための第５の形態のスプリングワッシャの平面図。
【図２０】本発明を実施するための第５の形態のスプリングワッシャの正面図。
【発明を実施するための形態】
【００１０】
以下、図面に示す本発明を実施するための形態により、本発明を詳細に説明する。
【００１１】
図１ないし図４に示す本発明を実施するための第１の形態において、１は本発明の緩みを確実に阻止することができる締付固定具で、この締付固定具1はボルト２と、このボルト２が挿入される切り欠き部３を有するスプリングワッシャ4と、前記ボルト２のねじ部２ａと螺合するナット５、５と、このナット５、５の前記スプリングワッシャ4の側面と接する面に所定間隔、本発明の実施の形態では6個のラチェット状の係止凹部７、7とで構成されている。
【００１２】
なお、ラチェット状の係止凹部７、7の上部の先端部を平坦面になるように形成した形状のものであってもよい。
【００１３】
上記構成の締付固定具1は取付部材８、9のボルト挿入孔１０、１０へボルト２のねじ部２ａを挿入し、ねじ部２ａの先端部を外方へ突出させ、該部位の内側のナット５を螺合させて取付部材８、９を締付ける。
【００１４】
しかる後、ねじ部２ａにスプリングワッシャ4を位置させ、外側のナット５をねじ部２ａに螺合させて締付けることにより内側のナット５の係止凹部7にスプリングワッシャ4の一側面側の切り欠き端部４ａが係止され、スプリングワッシャ4の他側面側の切り欠き端部４ｂが外側のナット５の係止凹部7と係止する。
【００１５】
この状態では内側のナット５と外側のナット５との係止凹部７、7とスプリングワッシャ4の切り欠き端部４ａ、４ｂとの係止を解除するための大きな力やスプリングワッシャ4を損傷させるような大きな力が加わらない限り、ナット５、５が緩まない。
【００１６】
このようなダブルナットの使い方では同じナット５、５を対向するようにボルト２と螺合させ、内側と外側にして使用することができる。
【００１７】
[発明を実施するための異なる形態]
次に、図５ないし図２０に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１８】
図５ないし図７に示す本発明を実施するための第２の形態において、前記本発明を実施するための第１の形態と主に異なる点は、ナット５側の取付部材９のボルト挿入孔１０の外周部に係止凹部7を形成した点で、このように構成された締付固定具１Ａにしても、スプリングワッシャ４の切り欠き端部４ａ、４ｂをナット５の係止凹部７とナット側の取付部材９の係止凹部７と係止させてボルト２の緩みを確実に阻止することができる。
【００１９】
図８ないし図１１に示す本発明を実施するための第３の形態において、前記本発明を実施するための第１の形態と主に異なる点は、ボルト２の頭部２ｂ側の取付部材８のボルト挿入孔１０の外周部に係止凹部７を形成し、ボルト２の頭部２ｂの取付部材８側の面に係止凹部７を形成するとともに、ねじ孔１１が形成された取付部材９Ａにスプリングワッシャ４が挿入されたボルト２を取付部材８のボルト挿入孔１０、取付部材９Ａのねじ孔１１と螺合締付けることにより、スプリングワッシャ４の切り欠き端部４ａ、４ｂが取付部材９Ａの係止凹部７およびボルト２の頭部２ｂの係止凹部７と係止させることができる締付固定具１Ｂにすることができ、前記本発明を実施するための第１の形態と同様な作用効果が得られる。
【００２０】
図１２ないし図１５に示す本発明を実施するための第４の形態において、前記本発明を実施するための第３の形態と主に異なる点は、皿ビス状のボルト２Ａを用い、該ボルト２Ａの頭部２ｃに係止凹部７を形成し、皿ビス状のボルト挿入孔１０Ａが形成されたボルト２Ａの頭部２ｃが入り込む凹部１０ａに係止凹部７を形成してスプリングワッシャ４を介装した点で、このような締付固定具１Ｃにしても、前記本発明を実施するための第３の形態と同様な作用効果が得られる。
【００２１】
図１６ないし図２０に示す本発明を実施するための第５の形態において、前記本発明を実施するための第１の形態と主に異なる点は、傾斜面となる切り欠き端部４ａ、４ｂを形成したスプリングワッシャ４Ａを用いるとともに、所定間隔で１８個の係止凹部７Ａ、７Ａを形成したナット５Ａ、５Ａを用いた点で、このように構成した締付固定具１Ｄにしても、前記本発明を実施するための第１の形態と同様な作用効果が得られるとともに、２０度の角度でナット５Ａ、５Ａの係止凹部７Ａ、７Ａとスプリングワッシャ４の切り欠き端部４ａ、４ｂと係止させることができる。
【産業上の利用可能性】
【００２２】
本発明は緩みを確実に阻止することができる締付固定具を製造する産業で利用される。
【符号の説明】
【００２３】
１、１Ａ、１Ｂ、１Ｃ、１Ｄ：締付固定具、
２、２Ａ：ボルト、      ３：切り欠き部、
４、４Ａ：スプリングワッシャ、  ５、５Ａ：ナット、  
７、７Ａ：係止凹部、    ８：取付部材、
９、９Ａ：取付部材、    １０：ボルト挿入孔、
１１：ねじ孔。
【図１】
2012102783.tif 000003
【図２】
2012102783.tif 000004
【図３】
2012102783.tif 000005
【図４】
2012102783.tif 000006
【図５】
2012102783.tif 000007
【図６】
2012102783.tif 000008
【図７】
2012102783.tif 000009
【図８】
2012102783.tif 000010
【図９】
2012102783.tif 000011
【図１０】
2012102783.tif 000012
【図１１】
2012102783.tif 000013
【図１２】
2012102783.tif 000014
【図１３】
2012102783.tif 000015
【図１４】
2012102783.tif 000016
【図１５】
2012102783.tif 000017
【図１６】
2012102783.tif 000018
【図１７】
2012102783.tif 000019
【図１８】
2012102783.tif 000020
【図１９】
2012102783.tif 000021
【図２０】
2012102783.tif 000022